(57)【要約】【課題】多様化するスポーツイベントに対応して、エンターテイメント性を有する多様な観戦スタイルに応えることができ、既存の競技場に対しても容易に改修でき、付加価値を向上できる多様な観客席を備えた競技場を得る。【解決手段】フィールド１の周囲に階段状の観客席２を配設した競技場において、前記観客席２の一部に段状の構造物３を構築し、この構造物３の各階４〜８のフィールド１側の突出部をスポーツバー１２、パーティーフロア１５、テラスレストラン１６ａ、オープンカフェ１８などに使用できるテラスに形成した。【選択図】        図１
2008255681.tif 000002
【特許請求の範囲】
【請求項１】
フィールドの周囲に階段状の観客席を配設した競技場において、前記観客席の一部に段状の構造物を構築し、この構造物の各段のフィールド側の突出部をテラスに形成したことを特徴とする競技場。
【請求項２】
前記段状の構造物は、観客席を支承する傾斜方向の梁のスパンにあわせ、この梁スパンの単位で構築する請求項１記載の競技場。
【請求項３】
前記段状の構造物は、各上段部の下方の下段部がそれぞれアメニティー施設として形成される請求項１または請求項２に記載の競技場。
【発明の詳細な説明】
【技術分野】
【０００１】
本発明は、野球場、サッカー場などの競技場に関するものである。
【背景技術】
【０００２】
かかる競技場は周知のようにフィールド（グラウンド）１の周囲に階段状の観客席２を配設しているが（図７ａ参照）、この観客席２は例えばベンチタイプの椅子、一人用の椅子などの区別はあるものの、全体としてはフィールド１をとり囲むように同じ高さの階段状で一様に配置されている。
【０００３】
前記従来技術は、当業者間で一般的に行われているものであり、文献公知発明にかかるものではない。
【０００４】
近年、競技場における観戦方法は、野球やサッカー、ラグビー、その他フィールド競技等のスポーツイベントも多様化し、スポーツ競技を観客席に座ったままで単に観戦するだけでなく、例えば食事をしながら、あるいはパーティーを行いながら観戦するなど、エンターテイメント性を有する多様な観戦スタイルとなってきている。
【０００５】
しかしながら従来のような画一的な形態の観客席では、多様な観戦スタイルに要求に応えることが出来ない。
【発明の開示】
【発明が解決しようとする課題】
【０００６】
そこで、従来からの既設の観客席を改修することも考えられているが、観客席の構成を全体的に変更する改修は困難であり、改修する場合、既存の観客席の上側や外側に増設する場合が多かった。新しく増設する観客席にはいろいろな工夫を盛りこむことができるが、価値の高いフィールドに近い既存の観客席は、既存の客席構成のままなので、一人当りの客席幅に余裕を持たせ椅子のグレードを上げる程度の改善しかできなかった。
【０００７】
また、観客席の近傍に競技を見ながら飲食できるようなスペースや売店、洗面所などが求められても観客席の裏側の、競技が見えない位置にあるコンコースを拡張してここに要求されるスペースを設置する程度の対応であった。
【０００８】
本発明は前記従来例の不都合を解消するものとして、多様化するスポーツイベントに対応して、エンターテイメント性を有する多様な観戦スタイルに応えることができ、既存の競技場に対しても容易に改修でき、付加価値を向上できる多様な観客席を備えた競技場を提供するものである。
【課題を解決するための手段】
【０００９】
請求項１記載の発明は、フィールドの周囲に階段状の観客席を配設した競技場において、前記観客席の一部に段状の構造物を構築し、この構造物の各段のフィールド側の突出部をテラスに形成したことを要旨とするものである。
【００１０】
請求項１記載の本発明によれば、観客席の一部に段状の構造物を構築したから、この構造物は観客席と同様の傾斜をもって形成され、構造物のフィールド側に突出した部分はテラスとしたから、周囲の観客席の視線を妨げることなく構造物のフィールド側が開放され、この構造物内に例えば売店や飲食できるスペース、洗面所などを設置すれば、構造物内で飲食しながらでも観戦でき、また、テラスでパーティーを開くこともでき、観客席のアメニティーを向上できる。
【００１１】
請求項２記載の発明は、前記段状の構造物は、観客席を支承する傾斜方向の梁のスパンにあわせ、この梁スパンの単位で構築することを要旨とするものである。
【００１２】
請求項２記載の本発明によれば、既設の競技場を改修して段状構造物を設置する場合、観客席に設置されている梁間で既存の観客席を撤去し、これに替えて段状構造物を設置することにより、梁間方向の力は新設の段状構造物を介して伝達でき、既存構造物に強度的な影響を与えることがない。
【００１３】
請求項３記載の発明は、前記段状の構造物は、各上段部の下方の下段部がそれぞれアメニティー施設として形成されることを要旨とするものである。
【００１４】
請求項３記載の本発明によれば、各上段部の下方の下段部がそれぞれアメニティー施設として形成されるから、既設の観客席の外側や上側に施設を延長することなく、上段部の下方空間を有効利用できる。
【発明の効果】
【００１５】
以上述べたように本発明の競技場は、観客席の一部を段状の構造物に形成し、この構造物内にアメニティーを向上させる施設を設置したから、多様化するスポーツイベントに対応して、エンターテイメント性を有する多様な観戦スタイルに応えることができ、既存の競技場に対しても容易に改修でき、付加価値を向上できる多様な観客席を備えたものに建替えることができるものである。
【発明を実施するための最良の形態】
【００１６】
以下、図面について本発明の実施形態を詳細に説明する。図１は本発明の競技場の実施形態を示す平面図、図２は同上要部の段状の構造物の部分の説明図、図３は同上要部の段状の構造物の部分の縦断側面図で、競技場全体の基本構成は図７ａに示す従来と同様にフィールド１の周囲に観客席２が階段状に配置されている。
【００１７】
本発明はこの観客席２の一部に段状の構造物３を構築するもので、図７ａに示すように競技場が野球場の場合、バックネット席の左右両側近傍に段状の構造物３を構築した。競技場が既存の場合は、既存の観客席２の一部を改修部分としてここに構造物３を構築することになる。
【００１８】
この段状の構造物３は、階段状の観客席２の傾斜と同じ傾斜をもって階段状に構成されるもので、例えば地下部分が地下一階４と地下二階５、地上部分が一階部分６、二階部分７、三階部分８とで構成される。
【００１９】
地下二階５は、例えば地下中二階５ａが付設され、地下二階５と地下中二階５ａを選手関係諸室とし、地下二階５の屋根部を地下中二階５ａの屋根部に連続させ、地下二階５の屋根部をデラックス観客席１０とする。
【００２０】
地下中二階５ａの屋根部は地下一階４の床部と同一レベルであり、地下一階４の構造物内の部分を例えば売店１１とし、この売店１１の部分からフィールド１の方向に突出する地下中二階５ａの屋根部の部分をスポーツバー１２に形成する。
【００２１】
地下一階４の売店１１の部分の屋根部は地上の一階部分６の床部と同一レベルであり、一階部分６の構造物内を例えば洗面所１３、売店１４とし、この売店１４の部分からフィールド１の方向に突出する地下一階４の屋根部の部分をパーティーフロア１５に形成する。
【００２２】
地上の一階部分６の洗面所１３、売店１４の部分の屋根部は地上の二階部分７の床部と同一レベルであり、二階部分７の構造物内を例えばレストラン１６とし、このレストラン１６の部分からフィールド１の方向に突出する一階部分６の屋根部の部分をテラスレストラン１６ａに形成する。
【００２３】
地上の二階部分７のレストラン１６の部分の屋根部は地上の三階部分８の床部と同一レベルであり、三階部分８の構造物内を例えば売店１７とし、この売店１７の部分からフィールド１の方向に突出する二階部分７の屋根部の部分をオープンカフェ１８に形成する。
【００２４】
このようにして地上の各階に連絡するエレベータや階段が配設されるコア１９が設けられ、地上の各階および地下一階の部分にはフィールド１の方向にオープンタイプのテラスが形成された階段状の構造物３が観客席２の一部に構築される。
【００２５】
この構造物３は、新設の競技場に設置する場合の他に、既設の競技場を改修して設置することもあり、かかる場合は、図６に示すように観客席２の傾斜方向の梁２０のスパンに対応させ、このスパンの単位で梁２０の間で既設の観客席２を撤去し、このスペースに構造物３を新たに構築する。
【００２６】
そして、新設の構造物３の両側に位置する既設の観客席２との間に、新たに梁２１を架設する。よって、この梁２１により既存構造（観客席２）の横方向の力は伝達されるから、観客席２を撤去してここに構造物３を構築しても、既存構造に強度的な影響を与えることはない。
【００２７】
各階にテラス形式のスペースを設けたことで、競技を眺めながら飲食でき、洗面所からでも競技を眺めることができるようになり、快適で多様性のある観客席を得ることができ、観客席のアメニティーが向上する。なお、各階の用途は、前記実施形態に限定されるものではなく、競技場の要求にあわせて設定する。
【図面の簡単な説明】
【００２８】
【図１】本発明の競技場の実施形態を示す平面図である。
【図２】本発明の競技場の実施形態を示す要部の分解説明図である。
【図３】本発明の競技場の実施形態を示す要部である構造物の縦断側面図である。
【図４】本発明の競技場の実施形態の使用状態を示す一部の斜視図である。
【図５】本発明の競技場の実施形態の使用状態を示す構造物の縦断側面図である。
【図６】本発明の競技場の実施形態を示す要部の説明図である。
【図７】本発明の競技場の実施形態を示す改修部分の説明図である。
【符号の説明】
【００２９】
１  フィールド                  ２  観客席
３  構造物                      ４  地下一階
５  地下二階                    ５ａ  地下中二階
６  一階部分                    ７  二階部分
８  三階部分                    ９  ベンチ
１０  デラックス観客席                    
１１  売店                      １２  スポーツバー
１３  洗面所                    １４  売店
１５  パーティーフロア          １６  レストラン
１６ａ  テラスレストラン        １７  売店
１８  オープンカフェ            １９  コア
２０、２１  梁
【図１】
2008255681.tif 000003
【図２】
2008255681.tif 000004
【図３】
2008255681.tif 000005
【図４】
2008255681.tif 000006
【図５】
2008255681.tif 000007
【図６】
2008255681.tif 000008
【図７】
2008255681.tif 000009